(57)【要約】ハウジング（１１）内に設けられ、注射器（２３）のカートリッジホルダー（２４）に取付けられた注射針（２５）の針基（２５’）を掴むためのチャック爪（２６）を有するチャック装置（２２）と、チャック爪を開閉させるための装置と、ハウジング（１１）を回転自在に支持する注射針の収容容器（１４）と、ハウジングを容器に対して回転させるための装置（５０、５５、５６）と、を含み、ハウジングの容器に対する回転により、チャック装置をハウジングと一緒に注射針に対して回転させ、それによって注射針を注射器から取り外すようにした歯科用カートリッジ式注射器における注射針の取り外し装置を提供する。この構成により、チャック装置を注射針に対して回転させるための回転動力伝達装置を必要としない。
2004075806.tif 000002
【特許請求の範囲】
【請求項１】
注射器に取り付けられた注射針を差し込むための円形開口部を有するカバー及び円形開口部と整合した通路を有する支持体を含むハウジングと、ハウジングの支持体に設けられ、注射針の針基を３方から掴むためのチャック爪を有するチャック装置と、注射針が円形開口部を通して差し込まれるとき、チャック爪を開閉させるための装置と、ハウジングを回転自在に支持する注射針の収容容器と、ハウジングを容器に対して回転させるための装置と、を含み、ハウジングの容器に対する回転により、チャック装置をハウジングと一緒に注射針に対して回転させ、それによって注射針を注射器から取り外して通路を通して容器の中へ落下させるようにしたことを特徴とする、歯科用カートリッジ式注射器における注射針の取り外し装置。
【請求項２】
チャック装置のチャック爪の各々は、ハウジングの支持体に設けられた支持ピンに回動自在に取り付けられ、チャック装置は、チャック爪をその開閉のために支持ピンを中心に回動させるための、長穴を介して支持ピンに取付けられた回転支持板と、回転支持板を所定角度回動させるためのソレノイド装置と、を含む、請求の範囲１に記載の注射針の取外し装置。
【請求項３】
ハウジングを容器に対して回転させるための装置は、ハウジング内に固定された減速機付電動機と、電動機の出力軸に固定された平歯車と、容器に設けられたリング歯車と、を含み、ハウジングが容器に結合されるとき平歯車が容器のリング歯車とかみ合う、請求範囲１に記載の注射針の取外し装置。
【発明の詳細な説明】
【技術分野】  本発明は、歯科用カートリッジ式注射器から注射針を取り外すための装置に関する。
【背景技術】  歯科治療では、抜歯、歯肉切除、切開、抜髄、形成等のために局所麻酔注射が口腔内に適用される。局所麻酔液は通常ガラス製カートリッジに充填されて市販されている。カートリッジは、その先端を密封するゴム栓を保持し、中央にゴム栓の一部を露出させる円孔を有するアルミキャップを備え、且つその後端に嵌入され、カートリッジ内に封入される注射液を押し出すためのプランジャーゴムを含んでいる。注射器に使用される注射針は、注射器のカートリッジホルダーの先端に設けられた雄ねじと螺合するようになった雌ねじ山を有する針基を貫通してそれに固着され、内針先と外針先とを有する両頭式針からなる。注射器のカートリッジホルダーにカートリッジを装填した後、注射針の針基を注射器のカートリッジホルダーに取り付ける。その時、内針先がカートリッジのゴム栓を突き刺して注射針はカートリッジ内の注射液と連通する。局所麻酔処置のための、患者の口腔内への注射は、注射器のプランジャーを操作してプランジャーゴムを押し、注射液をカートリッジから針を通して歯肉へそして更に深部へ放出させることによって行なわれる。
注射による局所麻酔処置が終了したら、注射針を注射器のカートリッジホルダーから取り外してこれを処分することが必要である。注射針の取り外しは、歯科医師又は医療従事者の指に針が刺さる危険性をはらんでいる。このような針刺し事故は、歯科医師又は医療従事者に対してウイルス感染の問題を引き起こすことがあるから、手や指を使わないで注射針を注射器のカートリッジホルダーから取り外すことのできる装置の開発が強く望まれてきた。
そのような注射針の取外し装置は、例えば特開昭６３−２１６５７７号、特開平５−２６９１７４号、特開平７−２４１３３９号、特開平８−８０３４９号及び特開平８−１１２３２０号で提案されている。特開昭６３−２１６５７７号を除く他の出願公開に開示された注射針の取外し装置は、基本的には、注射針の針基を掴むチャック爪を有するチャック装置と、チャック装置を作動し且つチャック装置を回転させる装置と、該装置に１つの動力源、例えば電動機から回転を伝達する為の回転動力伝達装置と、を含んでいる。このような構成では、構造が複雑過ぎて、どうしても大型になり、このことは、装置を安価に提供しようとする妨げの要因となっている。特開昭６３−２１６５７７号は、構造が比較的単純な装置を提供しているように見えるが、設計に当たっては相当配慮すべき構造が要求され、実用に供するものを提案しているとは到底考えられない。
【発明の開示】
本発明の目的は、回転動力伝達装置を必要とすることなくチャック装置を回転させることができる構造の簡単な注射針の取外し装置を提供することにある。
本発明の他の目的は、チャック装置の作動をソレノイドの線形運動によって行うようにした注射針の取外し装置を提供することにある。
本発明によれば、上記の目的は、注射器に取り付けられた注射針を差し込むための円形開口部を有するカバー及び円形開口部と整合した通路を有する支持体を含むハウジングと、ハウジングの支持体に設けられ、注射針の針基を３方から掴むためのチャック爪を有するチャック装置と、注射針が円形開口部を通して差し込まれるとき、チャック爪を開閉させるための装置と、ハウジングを回転自在に支持する注射針の収容容器と、ハウジングを容器に対して回転させるための装置と、を含み、ハウジングの容器に対する回転により、チャック装置をハウジングと一緒に注射針に対して回転させ、それによって注射針を注射器から取り外して通路を通して容器の中へ落下させるようにしたことを特徴とする、歯科用カートリッジ式注射器における注射針の取り外し装置を提供することによって達成される。
本発明の好ましい実施形態では、チャック装置のチャック爪の各々は、ハウジングの支持体に設けられた支持ピンに回動自在に取り付けられ、チャック装置は、チャック爪をその開閉のために支持ピンを中心に回動させるための、長穴を介して支持ピンに取付けられた回転支持板と、回転支持板を所定角度回動させるためのソレノイド装置と、を含む。
本発明の更に好ましい実施形態では、ハウジングを容器に対して回転させるための装置は、ハウジング内に固定された減速機付電動機と、電動機の出力軸に固定された平歯車と、容器に設けられたリング歯車と、を含み、ハウジングが容器に結合されるとき平歯車が容器のリング歯車とかみ合う。
【図面の簡単な説明】  図１は本発明による注射針の取外し装置及び注射器の概略斜視図である。
図２はカバーを取り除いて示す本発明による注射針の取外し装置の一部の上から見た斜視図である。
図３は本発明による装置の縦断面図である。
図４はチャック爪を開状態で示す本装置の平面図である。
図５はチャック爪を閉状態で示す図４と同様な平面図である。
【発明を実施するための最良の形態】  図１及び３を参照すると、本発明による注射針の取外し装置１０は、円筒形のハウジング１１と、ハウジング１１にビス止め１２され、且つ中心に円形開口部１３’を有するカバー１３と、を含む。ハウジング１１及びカバー１３は合成樹脂の成形物であるのが好ましい。ハウジング１１は容器１４の円形開口部１５に嵌まる径違い部分１６及び円形開口部１５を構成する容器１４の端面１７に当接する肩１８を有する。ハウジング１１は、その底壁１９からハウジング１１と同心をなして上方に延び、中心に通路２０を有する中空支持体２１を備えている。
図２、３、４、５に示すように、チャック装置２２が中空支持体２１の上端に設置され、そして注射器２３のカートリッジホルダー２４に装着された注射針２５の針基２５’を掴む３方チャック爪２６を含む。各チャック爪２６は、支持体２１に固定されて支持体の上端面から上方に延びる、円周方向に間隔を隔てた３本の支持ピン２７の各々に回動自在に取り付けられている。回転作動板２８が支持体２１の上端面とチャック爪２６との間に配置され、作動板２８に形成された長穴２９を各支持ピン２７に通すことによって所定角度回転できるように支持体２１上に保持される。回転作動板２８は、その中心に、中空支持体２１の通路２０と整合した穴３０を有し且つ回転作動板２８を回動させるためのアーム３１を有する。作動板２８の回動によりチャック爪２６を支持ピン２７の周りに回動させるために、チャック爪２６の各々は、作動板２８に形成された切欠き３２にチャック爪２６の後端屈曲部３３を係合させることによって支持板２８に作動的に連結される。チャック爪２６は、また支持ピン２７に形成された環状溝３４に止め輪３５を嵌めることによって支持板２８上に保持される。
可動円板３６が、その中心に、作動板２８の穴３０に整合した円形開口部３７を有し、且つこの中心円形開口部３７の周りに３つの小穴３８を有し、これらの穴３８を支持ピン２７に緩く通すことによって支持ピン２７に上下に移動可能に取り付けられる。可動円板３６には、その中心円形開口部３７の周りに環状隆起周縁部３９が形成されている。可動円板３６は半径方向外方向に延びるアーム４０を有し、該アーム４０は、ハウジング１１内に設置されている回路基板４１に設けられたマイクロスイッチ４２の作動片４３上に位置している。コイルスプリング４４が可動円板３６とチャック爪２６との間で支持ピン２７の周りに設けられ、アーム４０をマイクロスイッチ４２の作動片４３を作動しないように可動円板３６を常に上方に押し上げている。コイルスプリング４４の作用に抗して可動円板３６が押し下げられると可動円板３６のアーム４０が作動片４３を押してマイクロスイッチ４２をオンにするようになっている。
カバー１３は、該カバー１３を所定位置でハウジング１１に載せるために３本の支持ピン２７の頂部に係合する窪み４５を中心の円形開口部１３’の周りでカバーの下面に有している。カバー１３がハウジング１１の上に置かれるとき、可動円板３６の環状隆起周縁部３９がカバー１３の円形開口部１３’に受け入れられて外部に露出する。
ソレノイド４６が、ハウジング１１内に固定的に取り付けられ、且つソレノイド４６の付勢により直線運動するプランジャー形態の作動子４７を有している。ソレノイド４６はまたその作動子４７に固定され、且つ一対の間隔を隔てた突起４８、４８を有する逆Ｕ型ブリッジ片４９を含む。回転作動板２８のアーム３１がブリッジ片４９の一対の突起４８、４８の間に位置し、ブリッジ片４９の直線運動によりアーム３１を押して支持板２８を回転させる。
減速機付電動機５０がハウジング１１の底壁１９の上げ底部分５１にビス止め５２され、そして上げ底部分５１を貫いて下方に延びる出力軸５３を有し、上げ底部分５１にって構成された上げ底空間５４内で平歯車５５が出力軸５３に固定されている。容器１４の内壁には、円形開口部１５に隣接してリング歯車５６が形成され、ハウジング１１の径違い部分１６を容器１４の円形開口部１５にはめ込むとき平歯車５５がリング歯車５６とかみ合うようになっている。電動機及びソレノイドのための電源として用いられるバッテリー５７がハウジング１１内に収容されている。参照符号５８は、バッテリー５７を充電するために充電器の電気コードのプラグが差し込まれるジャックであり、プラグがジャック５８に差し込まれているときには、マイクロスイッチ４２が作動されても、電動機は起動しないようになっている。回路基板４１に設けられた２つの発光ダイオード５９、６０がカバー１３に設けられた２つの穴６１に位置し、発光ダイオードの一方５９が装置の作動を表示し、他方６０がバッテリーの充電を表示する。
図１に示すように、注射針２５は、その針基２５’をカートリッジホルダー２４の先端ねじ部に螺合させることによって注射器２３に取り付けられている。局所麻酔処置の後、注射針２５を注射器２３からねじ外ししようとする場合には、カートリッジホルダー２４の先端の注射針２５をカバー１３の円形開口部１３’を通して支持体２１の通路２０内に差し込む。その時、注射器２３の先端環状肩部が可動円板３６の中心円形開口部３７の周りの環状隆起周縁部３９に当接する。その状態で注射器２３を押し下げると可動円板３６がコイルスプリング４４の作用に抗して押し下げられ、可動円板３６のアーム４０がマイクロスイッチ４２の作動片４３を押してマイクロスイッチ４２をオンにし、制御装置を介して電源との回路が閉じてソレノイド４６及び電動機５０を付勢する。
ソレノイド４６の付勢により、ブリッジ片４９を移動させ、突起４８、４８を介してアーム３１をブリッジ片４９の移動と同じ方向に押し、それによって作動板２８を時計周りの方向に所定角度回転させる。作動板２８の回転により、作動板２８と連結しているチャック爪２６は支持ピン２７の周りに時計回りに廻されて互いに閉じる。注射器２３が押し下げられたとき、カートリッジホルダーの先端に取り付けられている注射針２５の針基２５’がチャック爪２６の位置にあるので、針基２５’は閉じたチャック爪２６によって３方から掴まれる。
付勢された電動機５０はその出力軸に固定された平歯車５５を上から見て反時計回りに回転させ、平歯車５５が容器１４のリング歯車５６とかみ合っているため平歯車５５はリング歯車５６の周りに転動する。そのためハウジング１１は容器１４に対して回転するから、ハウジングと一体の支持体に装着されているチャック装置２２もハウジング１１と一緒に回転する。チャック装置の回転により手で保持されいる注射器２３のカートリッジホルダーに対して注射針２５の針基２５’が左回りに廻され、それによって針基２５’はカートリッジホルダーからねじ外しされることになる。取り外されても、注射針２５はソレノイド４６が付勢されている限りチャック爪２６によっ掴まれたままである。所定時間が経過すると制御装置を介して電源との回路が開いてソレノイド４６及び電動機５０を消勢する。ソレノイド４６の消勢により、ブリッジ片４９が元の位置に戻り、作動板２８が反時計回りに回転する為チャック爪２６は支持ピン２７を中心に反時計回りに回転して開く。これにより注射針２５の針基２５’がチャック爪２６から解放され、注射針２５は支持体２１の通路２０を通して容器１４の中に落下し、そこに収容される。
本発明によれば、チャック装置がハウジングと供回りする構成であるため、チャック装置を直接回転させる伝導機構が全く不要になり、装置の構造がその分簡単になり、しかも装置全体が軽量になる。
【図１】
2004075806.tif 000003
【図２】
2004075806.tif 000004
【図３】
2004075806.tif 000005
【図４】
2004075806.tif 000006
【図５】
2004075806.tif 000007
【国際調査報告】
2004075806.tif 000008
2004075806.tif 000009
2004075806.tif 000010
2004075806.tif 000011